(57)【要約】【課題】  首筋の緊張を緩和させた状態で、頭部を常に自然な位置に保持することよって、首筋をほとん  ど無負荷の状態で安定させて、肩こりや、頭痛、手足のしびれ等を効率的に改善し、かつ、リラックスして就寝することができる吊りベルト式枕を提供する。【解決手段】  この吊りベルト式枕１０は、基台２０と、この基台２０の両側から立設された側枠３０と、この側枠３０に両端部を支持されて、Ｕ字状に吊り下げられたベルト４０とを備え、ベルト４０上面に頭部を載せる頭部載置部４２が形成されている。また、ベルト４０の両端部から頭部載置部４２に至る高さＡが２００〜６００ｍｍとされ、ベルト４０の両端部の吊り間隔Ｂが、３００〜７００ｍｍとされている。【選択図】  図２
2005323633.tif 000002
【特許請求の範囲】
【請求項１】
基台と、この基台の両側から立設された側枠と、この側枠に両端部を支持されて、Ｕ字状に吊り下げられたベルトとを備え、前記ベルト上面に頭部を載せる頭部載置部が形成されてなる吊りベルト式枕において、
前記ベルトの両端部の吊り位置から頭部載置部に至る高さが２００〜６００ｍｍとされ、前記ベルトの両端部の吊り間隔が、３００〜７００ｍｍとされていることを特徴とする吊りベルト式枕。
【請求項２】
前記ベルトの幅が、２００〜３００ｍｍである請求項１記載の吊りベルト式枕。
【請求項３】
前記ベルトの両端部は、面ファスナーによって、前記側枠に長さ調整可能に取り付けられている請求項１又は２記載の吊りベルト式枕。
【請求項４】
前記ベルトの頭部載置部にパッドが装着されている請求項１〜３のいずれか１つに記載の吊りベルト式枕。
【請求項５】
前記ベルトは、無端状のベルトからなり、前記側枠上端部には、それぞれ回転可能なローラーが取り付けられており、前記無端状のベルトが前記側枠の各ローラーに張設されてＵ字状に支持されている請求項１〜４のいずれか１つに記載の吊りベルト式枕。
【請求項６】
前記ベルトは、その両端部を支持する棒状部材と、この棒状部材を前記側枠に吊り下げ支持する紐状体とを介して、前記側枠に支持されている請求項１〜５のいずれか１つに記載の吊りベルト式枕。
【請求項７】
前記側枠は、前記基台に対して挿脱可能に取り付けられている請求項１〜６のいずれか１つに記載の吊りベルト式枕。
【請求項８】
前記側枠は、前記基台に対して回動し、折り畳み可能に取り付けられており、かつ、前記基台に対して立設した状態を維持し、倒れを防止するストッパが設けられている請求項１〜６のいずれか１つに記載の吊りベルト式枕。
【発明の詳細な説明】
【技術分野】
【０００１】
本発明は、首筋の緊張状態を緩和させて、肩こりや、頭痛、手足のしびれ等を効率的に改善し、かつ、リラックスして就寝することができる吊りベルト式枕に関する。
【背景技術】
【０００２】
人体の中でも、比較的重い頭部を支えている首回りの筋肉群（以下、首筋という）は、頭部の重みにより負荷が加わっており、首筋は常に緊張状態にある。従来から就寝時に用いられている枕は、頭部を保持することによって、首筋の緊張状態をある程度緩和している。
【０００３】
しかしながら、従来からの枕は、頭部の重みによって沈み込んでしまうことが多々あり、特にクッション材が柔らかすぎる場合には、その傾向が顕著であった。このような場合、首筋の緊張状態を緩和させることは、ほとんど期待できず、むしろ肩こりや頭痛等の原因となってしまっている。一方、クッション材が硬すぎる場合には、頭部の重みによって沈み込むことはないが寝心地が悪くなり、安眠できるとは言いがたかった。
【０００４】
そのため、就寝時の睡眠を快適にして、肩こりや頭痛、手足のしびれ等を防止するように、様々な形態の枕が考案されている。例えば、下記特許文献１には、架設枠にベルト状の布を掛け渡した構造の、ハンモック型枕が開示されている。
【０００５】
また、下記特許文献２には、枕本体の中央部に使用者の顔面の輪郭形状にほぼ相応した形状の孔を備え、少なくとも使用者の顔面周縁部を受ける枕本体の孔の周縁部が弾性材料で構成され、横方向には予定の範囲でほぼ水平に変位できるが縦方向には変位しないように枕本体を支持体に装着したことを特徴とする医療用枕が開示されている。
【特許文献１】実開平１−１５９７６２号公報
【特許文献２】特開平１０―２７７１０２号公報
【発明の開示】
【発明が解決しようとする課題】
【０００６】
上記特許文献１のハンモック式枕は、頭部を冷やすことにより頭部の安静と安眠を図ることを目的としているが、架設枠に布からなるベルトがほぼ水平に近い状態で張設されているため、頭部を載せた状態でベルトはほとんど動かず、またホールド感も乏しい。このため、首筋の緊張状態を効果的に緩和させることは困難であると考えられる。
【０００７】
上記特許文献２の医療用枕は、うつ伏せ状態になって、枕本体に設けられた孔に顔面を載せることによって、ベルト（枕本体支持部材）上に頭部が配置されるものである。しかしながら、この枕は、眼の病気等の手術後に使用される特別な用途のものであり、通常の枕として利用することはできなかった。
【０００８】
したがって、本発明の目的は、首筋の緊張を緩和させた状態で、頭部を常に自然な位置に保持することよって、首筋をほとんど無負荷の状態で安定させて、肩こりや、頭痛、手足のしびれ等を効率的に改善し、かつ、リラックスして就寝することができる吊りベルト式枕を提供するものである。
【課題を解決するための手段】
【０００９】
上記目的を達成するため、本発明の吊りベルト式枕は、基台と、この基台の両側から立設された側枠と、この側枠に両端部を支持されて、Ｕ字状に吊り下げられたベルトとを備え、前記ベルト上面に頭部を載せる頭部載置部が形成されてなる吊りベルト式枕において、前記ベルトの両端部の吊り位置から頭部載置部に至る高さが２００〜６００ｍｍとされ、前記ベルトの両端部の吊り間隔が、３００〜７００ｍｍとされていることを特徴とする。
【００１０】
本発明によれば、基台の両側から立設した側枠にベルトの両端部を吊り下げ支持し、ベルトの両端部の吊り位置から頭部載置部に至る高さを２００〜６００ｍｍとし、ベルトの両端部の吊り間隔を３００〜７００ｍｍとしたことにより、ベルトの上に頭部を載せたときにベルトが揺動可能となっているため、頭部を常に自然な位置、すなわち首筋が弛緩した状態で落ち着く位置に保持して、首筋の緊張状態を緩和させることができる。また、ベルトが頭部の下面に沿って湾曲して包み込むように当たるため、ホールド感がよく、首筋を弛緩させても頭部を安定して保持することができる。このように、首筋の緊張状態を効率的に緩和できるので、肩こり、頭痛、手足のしびれ等を効果的に改善することができ、神経叢のまひ症状等の改善やリハビリ効果等も期待できる。また、血行促進、頚椎の矯正保持を図ることができ、身体機能の老化、活動性の低下等の予防・改善も期待でき、更に、寝心地がよくリラックスして就寝することができる。
【００１１】
本発明の好ましい態様によれば、前記ベルトの幅が、２００〜３００ｍｍであることが好ましい。この態様によれば、頭部を安定してかつ揺動を妨げることなく保持することができ、本発明の効果を高めることができる。
【００１２】
本発明の好ましい態様によれば、前記ベルトの両端部は、面ファスナーによって、前記側枠に長さ調整可能に取付けられていることが好ましい。この態様によれば、ベルトの長さを調整して、吊り高さを使用者の好みに応じて変更することができる。
【００１３】
本発明の好ましい態様によれば、前記ベルトの頭部載置部にパッドが装着されていることが好ましい。この態様によれば、パッドを介して頭部をベルトの上に載せるので、ベルトの頭部載置部上に頭部を直接載せた場合に比べて、クッション性や通気性等を良好にすることができる。
【００１４】
本発明の好ましい態様によれば、前記ベルトは、無端状のベルトからなり、前記側枠上端部には、それぞれ回転可能なローラーが取付けられており、前記無端状のベルトが前記側枠の各ローラーに張設されてＵ字状に支持されていることが好ましい。この態様によれば、無端状のベルトが頭部の動きに合わせて回動するので、寝返り等をしやすくなる。
【００１５】
本発明の好ましい態様によれば、前記ベルトは、その両端部を支持する棒状部材と、この棒状部材を前記側枠に吊り下げ支持する紐状体とを介して、前記側枠に支持されていることが好ましい。この態様によれば、前記態様に比べて、ベルトがより自由に揺動するため、首筋の緊張状態を効果的に緩和させることができる。
【００１６】
本発明の好ましい態様によれば、前記側枠は、前記基台に対して挿脱可能に取付けられていることが好ましい。この態様によれば、側枠を基台から挿脱することにより、組立や分解が可能となるので、設置場所を変更したり、移動したりする際に持ち運びがしやすく、しかも収納する際の収納スペースをなるべく小さくすることができる。
【００１７】
本発明の好ましい態様によれば、前記側枠は、前記基台に対して回動し、折り畳み可能に取付けられており、かつ、前記基台に対して立設した状態を維持し、倒れを防止するストッパが設けられていることが好ましい。この態様によれば、ストッパを外して側枠を基台に対して回動させることにより折り畳むことができるので、設置場所を変更したり、移動したりする際の持ち運びが容易で、収納時の収納スペースも小さくすることができる。そして、折り畳んだときとは反対方向に側枠を回動させ、側枠が立設した状態で、ストッパを取付けるだけで元の状態に簡単に戻すことができる。
【発明の効果】
【００１８】
本発明の吊りベルト式枕によれば、ベルトによって頭部を吊り下げ支持し、しかもベルトの両端部の吊り位置から頭部載置部に至る高さを２００〜６００ｍｍとし、ベルトの両端部の吊り間隔を３００〜７００ｍｍとしたことにより、ベルトの上に頭部を載せたときにベルトを揺動可能として、頭部を常に自然な位置、すなわち首筋が弛緩した状態で落ち着く位置に保持して、首筋の緊張状態を緩和させることができる。また、ベルトが頭部の下面に沿って湾曲して包み込むように当たるため、ホールド感がよく、首筋を弛緩させても頭部を安定して保持することができる。これによって、肩こり、頭痛、手足のしびれ等を効果的に改善することができ、神経叢のまひ症状等の改善やリハビリ効果等も期待できる。また、血行促進、頚椎の矯正保持を図ることができ、身体機能の老化、活動性の低下等の予防・改善も期待でき、更に、寝心地がよくリラックスして就寝することができる。
【発明を実施するための最良の形態】
【００１９】
以下、図面を参照して本発明の実施形態を説明する。図１〜３には、本発明の吊りベルト式枕の第１の実施形態が示されている。
【００２０】
図１に示されるように、この吊りベルト式枕１０は、基台２０と、側枠３０と、ベルト４０とを有している。
【００２１】
基台２０は、角材をコ字状に連結してなる枠体２１と、この枠体２１の下面に釘、ネジ、接着剤等によって固定された板２２とで構成されている。板２２は、例えば布団等の上に載置したときに、布団が盛り上がってベルト４０が着地してしまうのを防止する。また、枠体２１の前端縁、すなわち首を挿入する部分には、角材を配置しないで首等が角材に当たるのを防止している。
【００２２】
側枠３０は、基台２０の両側の枠体２１上に立設した一対の平行な支柱３１，３１と、これらの支柱３１，３１の上端部を連結する支持棒３２とを有している。
【００２３】
上記の基台２０、側枠３０の材質としては、頭部の重みを支持することができれば特に限定されず、例えば、木、金属、プラスチック等の材料が好ましく用いられる。
【００２４】
ベルト４０は、例えば布製で、その両端部と、該両端部から所定の距離だけ離れた箇所に、ベルト４０の長手方向に対して直交する方向に伸びる帯状の面ファスナー４１が設けられている。両端部から離れた位置に設けられる面ファスナー４１は、所定間隔で複数個設けられており、両端部の面ファスナー４１と接合するものを選択することによって、ベルト４０の長さを調整することができるようになっている。そのため、ベルト４０によって支持する高さを使用者の好みに応じて変えることができる。
【００２５】
そして、ベルト４０の両端部を、側枠３０の支持棒３２，３２の外周に周回させて、両端部の面ファスナー４１と、それより内側に設けられた面ファスナー４１とを接合することにより、支持棒３２，３２にベルト４０を取付けることができ、ベルト４０は、側枠３０の支持棒３２，３２に支持されてＵ字状に吊り下げられる。
【００２６】
この場合、本発明では、図２に示すように、ベルト４０の両端部から頭部載置部に至る高さＡが２００〜６００ｍｍ、好ましくは４００〜５００ｍｍに設定される。高さＡが２００ｍｍ未満では、ベルト４０に頭部Ｈを載せたとき、ベルト４０が揺動しにくく、首筋を弛緩させて支持する効果が乏しくなる。また、高さＡが６００ｍｍを超えると、側枠３１が両側に高く突き出るので、仰向けになって頭部をベルト４０に載せたとき、側枠３１による圧迫感が強くなる可能性がある。
【００２７】
また、ベルト４０の両端部の吊り間隔Ｂは、３００〜７００ｍｍ、好ましくは４００〜５００ｍｍに設定される。吊り間隔Ｂが３００ｍｍ未満では、側枠３０の間隔が狭くなって圧迫感が増すと共に、頭部Ｈが入りにくくなったり、側枠３０に肩が当たったりする可能性があり、７００ｍｍを超えると、ベルト４０が揺動しにくくなり、装置全体が大掛かりで製造コストが高くなってしまう。
【００２８】
更に、ベルトの幅は、２００〜３００ｍｍであることが好ましい。２００ｍｍ以下であると、頭部をベルト４０に載せた場合に安定して保持することができず好ましくない。３００ｍｍ以上であると、首の周囲にまとわりつく傾向があり、頭部を揺動可能に保持しにくくなる。また、基台２０、側枠３０が大型化するので、製造コストが増加してしまい好ましくない。
【００２９】
この吊りベルト式枕１０によれば、ベルト４０が側枠３０の上端から吊り下げ支持されているので、頭部Ｈをベルト４０の頭部載置部４２に載せたときに、体の軸方向やそれと直交する方向に比較的自由に揺動する。このため、使用者の体位に合わせて、頭部を常に自然な位置、すなわち首筋が弛緩した状態で落ち着く位置に保持して、首筋の緊張状態を緩和させることができる。また、ベルト４０が頭部Ｈの下面に沿って湾曲して包み込むように当たるため、ホールド感がよく、首筋を弛緩させても頭部を安定して保持することができる。これによって、首筋の緊張状態を効率的に緩和させることができるので、例えば、肩こり、頭痛、手足のしびれ等を効果的に改善することができる。また、首から脊髄に出て腕に伸びている神経叢のまひ症状等の、首の神経群に起因する症状に対しても、その症状の改善やリハビリ効果等を期待できる。更に、血行促進、頚椎の矯正保持を図ることができ、身体機能の老化、活動性の低下等の予防・改善も期待できる。加えて、寝心地がよくリラックスして就寝することができる。
【００３０】
また、図３に示されるように、ベルト４０の頭部載置部４２上には、パッド４２ａが載置されていてもよい。このパッド４２ａは、ウレタンフォーム等のクッション材を布等のカバーで包んで形成されており、図示しない面ファスナー等を介してベルト４０と接合されている。このように、パッド４２ａを用いることにより、ベルト４０の頭部載置部４２上に頭部を直接載せた場合に比べてクッション感がもたらされ、寝返りをした場合においても、違和感が少なくなる。また、パッド４２ａと、ベルト４０との間に図示しない樹脂板等を挟みこんでいてもよい。この場合、頭部の保持性が向上する。
【００３１】
図４には、本発明の吊りベルト式枕の第２の実施形態が示されている。なお、前記実施形態と実質的に同一部分には、同符合を付してその説明を省略することにする。
【００３２】
この吊りベルト式枕１０ａは、前記実施形態１０と比べ、ベルト及びベルトを支持する部材が異なっている。すなわち、側枠３０を構成する一対の支柱３１，３１の間に、図示しない支軸を介してローラー３２が回転可能に支持されており、このローラー３２に無端状のベルト４０ａが支持されている。すなわち、無端状のベルト４０ａは、両側の側枠３０の各ローラー３２に張設されてＵ字状に垂れ下がっており、その下端部に頭部載置部４２が設けられている。
【００３３】
この実施形態によれば、寝返り等をした場合に、無端状のベルト４０ａが頭部Ｈの動きに合わせて回動するので、頭部Ｈを常に無理のない自然な位置に保持することができる。
【００３４】
図５には、本発明の吊りベルト式枕の第３の実施形態が示されている。なお、前記実施形態と実質的に同一部分には、同符合を付してその説明を省略することにする。
【００３５】
この吊りベルト式枕１０ｂは、前記実施形態１０と比べて、枠体及びベルトを吊り下げる支持部材が主に異なっている。この実施形態の場合、基台２０は、板２２のみで構成され、この基台２０の両側から、コ字状のフレームからなる側枠３０ａ，３０ａが立設されている。この側枠３０ａの上方の水平支持部３２ａの中央部には、棒状部材３３に連結された紐状体３４が支持されている。そして、棒状部材３３にベルト４０の両端部が巻きつけて面ファスナー４１で固定することにより、ベルト４０が吊り下げられている。
【００３６】
この実施形態によれば、前記実施形態に比べて、ベルト４０が紐状体３４を介して側枠３０ａに吊り下げ支持されているので、方向を問わず、より自由に揺動するので、首筋の緊張状態を効果的に緩和させることができる。
【００３７】
図６には、本発明の吊りベルト式枕の第４の実施形態が示されている。なお、前記実施形態と実質的に同一部分には、同符合を付してその説明を省略することにする。
【００３８】
この吊りベルト式枕１０ｃは、前記実施形態１０ｂとほぼ同じ構成をなしており、側枠３０ａの水平支持部３２ａから、一対のループバンド３４ａ，３４ａによって棒状部材３３の両端が支持されている点が異なっている。
【００３９】
この実施形態によれば、ベルト４０の揺動性を第１実施形態のものより大きくできると共に、ベルト４０の長さを短くしてコストを低減することができる。
【００４０】
図７には、本発明の吊りベルト式枕の第５の実施形態が示されている。なお、前記実施形態と実質的に同一部分には、同符合を付してその説明を省略することにする。
【００４１】
この吊りベルト式枕１０ｄは、前記第１の実施形態に対して、側枠３０が基台２０から取外し可能とされている点が相違している。すなわち、基台２０の４隅に角筒状のホルダ２３が取付けられており、側枠３０の支柱３１の下端部を上記ホルダ２３に差し込むことによって、側枠３０を基台２０に立設することができるようになっている。
【００４２】
この実施形態によれば、側枠３０を基台２０から挿脱可能となっているので、吊りベルト式枕１０ｄの設置場所を変更したり、移動したりする際に持ち運びがしやすく、しかも収納する際の収納スペースをなるべく小さくすることができる。
【００４３】
図８には、本発明の吊りベルト式枕の第６の実施形態が示されている。なお、前記実施形態と実質的に同一部分には、同符合を付してその説明を省略することにする。
【００４４】
この吊りベルト式枕１０ｅは、基台２０の両側部に、側枠３０の支柱３１の下端部がボルト３５によって回動可能に連結されている。側枠３０の支持棒３２には、前記と同様な態様でベルト４０の両端部が取付けられる。また、一方の支柱３１の中間長さ位置には、リンク状のストッパ５０の一端５０ａが枢着されており、ストッパ５０の他端５０ｂは、例えばＣ字形状等をなしていて、基台２０の前面中間位置に設けられたピン２４に係止可能とされている。
【００４５】
したがって、この吊りベルト式枕１０ｅは、側枠３０を基台２０に対して回動させて立設させ、上記ストッパ５０を回動させて、その一端５０ａをピン２４に係止させることにより、側枠３０を立設した状態に固定することができる。
【００４６】
また、使用しないときには、図８中の想像線で示すように、上記ストッパ５０のピン２４に対する係合を外して、一方の側枠３０を基台２０の上面側に倒し、他方の側枠３０を基台２０の下面側に倒すことにより、コンパクトな形状に折り畳むことができる。このように、側枠３０を折り畳むことによって、設置場所を変更したり、移動したりする際の持ち運びが容易で、収納時の収納スペースも小さくすることができる。また、側枠３０を折り畳んだ状態から、使用状態に戻す際にも、簡単に元に戻すことができる。
【００４７】
図９には、上記第６実施形態におけるストッパの構造を変えた他の実施形態が示されている。すなわち、この実施形態では、基台２０の４隅にブロック２４が固着されており、側枠３０の支柱３１下端部と上記ブロック２４を貫通して、ボルト状の支軸３６が挿通され、ナット３７で締め付けることにより、側枠３０が回動可能に支持されている。また、支柱３１及びブロック２４の上記支軸３６よりもやや上方位置には、ストッパピン３８を挿通する孔が形成されている。したがって、側枠３０を基台２０に対して立設した状態にし、ストッパピン３８を挿入することによって、側枠３０を立設した状態に固定できるようになっている。
【実施例】
【００４８】
図１、２に示すような、吊りベルト式枕１０を製造した。この場合、ベルト４０はキルティング加工を施した布で、それ以外の各部材は、木材で製造した。
【００４９】
このベルト式枕１０全体の大きさは、基台２０の幅４００ｍｍ、奥行き３００ｍｍ、側枠３０の高さ４００ｍｍであった。また、ベルト４０の両端部の吊り位置から頭部載置部４２に至る高さＡは３５０ｍｍ、ベルト４０の両端部の吊り間隔Ｂは３５０ｍｍ、ベルト４０の幅は２５０ｍｍであった（図２参照）。
【００５０】
以上のような吊りベルト式枕１０を、１０名のパネラーに５日間程度使用させ、その評価を行った。評価方法は、以下の通りである。
【００５１】
（ｉ）使用後の首筋の状況について、ａ）痛み、ｂ）しびれ、ｃ）張り、ｄ）こり、ｅ）動きやすさについて、５段階（５…大変良好、４…ややよい、３…変化なし、２…やや悪い、１…非常に悪い）で評価し、その平均点で表した。
【００５２】
（ii）使用後の生活状況について、ａ）気分の爽快さ、ｂ）睡眠状況について、上記と同じ５段階で評価し、その平均点で表した。
【００５３】
（iii）使いやすさについて、ａ）使い勝手、ｂ）形、ｃ）重さについて、上記と同じ５段階で評価し、その平均点で表した。
【００５４】
この結果を表１に示す。
【００５５】
【表１】
2005323633.tif 000003
【００５６】
上記表１より、本発明の吊りベルト式枕によれば、首筋の緊張状態を緩和させることができ、首筋の痛み、こり等を効果的に改善でき、またリラックスして就寝できることが明らかとなった。
【産業上の利用可能性】
【００５７】
本発明によれば、首筋の緊張を緩和させて、肩こり、頭痛、手足のしびれ等を効率的に改善し、かつ、リラックスして就寝することができる吊りベルト式枕を提供できる。
【図面の簡単な説明】
【００５８】
【図１】本発明による吊りベルト式枕の第１の実施形態を示す斜視図である。
【図２】同吊りベルト式枕の使用状態を示す正面図である。
【図３】同吊りベルト式枕のベルトの頭部載置部上にパッド４２を載置した場合の使用状態を示す正面図である。
【図４】本発明による吊りベルト式枕の第２の実施形態を示す断面図である。
【図５】本発明による吊りベルト式枕の第３の実施形態を示す斜視図である。
【図６】本発明による吊りベルト式枕の第４の実施形態を示す斜視図である。
【図７】本発明による吊りベルト式枕の第５の実施形態を示す分解斜視図である。
【図８】本発明による吊りベルト式枕の第６の実施形態を示す分解斜視図である。
【図９】同第６実施形態において、ストッパの構造を変えた他の実施形態を示す部分断面図である。
【符号の説明】
【００５９】
１０  吊りベルト式枕
２０  基台
３０  側枠
３２ａ  ローラー
３３  棒状部材
３４，３４ａ  紐状体
４０  ベルト
４０ａ  無端状のベルト
４１  面ファスナー
４２  頭部載置部
４２ａ  パッド
５０  ストッパ
【図１】
2005323633.tif 000004
【図２】
2005323633.tif 000005
【図３】
2005323633.tif 000006
【図４】
2005323633.tif 000007
【図５】
2005323633.tif 000008
【図６】
2005323633.tif 000009
【図７】
2005323633.tif 000010
【図８】
2005323633.tif 000011
【図９】
2005323633.tif 000012